(57)【要約】      （修正有）【課題】十分な防寒性を備えつつも、タッチパネルの操作が可能な導電性を具備する手袋を提供する。【解決手段】５指を包被する指部を備えた縫製手袋であって、前記指部のうち、少なくとも親指と人差し指用指部の掌側先端に、導電性糸による刺繍により導電部を形成する。導電部１０が設けられた指挿入部の先端の縫製は以下のように行う。甲部２について、導電部１０を設ける指挿入部を他の指の指挿入部よりも長く形成する。また、掌部３について、導電部１０を設ける指挿入部を他の指の指挿入部よりも短く形成する。この長く形成した甲部２側の部分を掌側に折り返し、この折り返し部２１の側端部２ｄと甲部の側端部３ｄを縫合し、折り返し部２１の指先端部２ｂと掌部の指先端部３ｂを縫合する。そして導電部１０を折り返し部２１の表面に形成する。このように縫製することによって、縫目より指先側に導電部１０が位置することとなる。【選択図】図１
0003176314.tif 000002
【実用新案登録請求の範囲】
【請求項１】
５指を包被する指部を備えた縫製手袋であって、
前記指部のうち、少なくとも親指と人差し指用指部の掌側先端に、導電性糸を含む導電部が設けられた手袋。
【請求項２】
前記指部全ての掌側先端に、導電性糸を含む導電部が設けられた請求項１に記載の手袋。
【請求項３】
前記導電部は、導電性糸によって掌面の表裏を貫通するように施された刺繍によって形成された請求項１又は２に記載の手袋。
【請求項４】
前記導電部は、導電性糸による装飾が施された装飾部を縫合又は接着することによって形成された請求項１又は２に記載の手袋。
【請求項５】
前記導電性糸は、さらに静電防止性を備えた請求項１乃至４のいずれか１項に記載の手袋。
【請求項６】
前記導電性糸は、導電性合成繊維からなる請求項１乃至５のいずれか１項に記載の手袋。
【請求項７】
前記導電性糸は、検針機に対応している請求項１乃至６のいずれか１項に記載の手袋。
【請求項８】
前記導電部が設けられた前記指部の先端には縫目が設けられていない請求項１乃至７のいずれか１項に記載の手袋。
【請求項９】
縫目が前記導電部より掌側に設けられている請求項１乃至８のいずれか１項に記載の手袋。
【請求項１０】
親指用指部以外の指部の長さが７０ｍｍ以下である請求項１乃至９のいずれか１項に記載の手袋。
【請求項１１】
５指を包被する指部を備え、少なくとも掌部と甲部とからなる縫製手袋であって、
前記５指のうち、少なくとも親指と人差し指用指部の掌側先端に、静電防止性能を備え、検針機に対応した導電性合成繊維からなる導電性糸によって掌面の表裏を貫通するように刺繍が施された導電部を備え、
前記甲部の指先端部を掌側に折り返して折り返し部を形成し、
前記折り返し部の側端部と前記甲部の側端部を縫合することによって前記指部が形成され、
前記折り返し部の先端部と前記掌部の先端部を縫合した縫目より指先側に前記導電部が位置する手袋。
【請求項１２】
前記導電部の形状は、指先に向かって先細りしている請求項１乃至１１のいずれか１項に記載の手袋。
【請求項１３】
前記導電部は人差し指に設けられる請求項１２に記載の手袋。
【請求項１４】
前記導電部は親指に設けられる請求項１３に記載の手袋。
【請求項１５】
前記導電部の形状は、指先に向かって拡がっている請求項１乃至１１のいずれか１項に記載の手袋。
【請求項１６】
前記導電部は親指に設けられる請求項１５に記載の手袋。
【考案の詳細な説明】
【技術分野】
【０００１】
本考案は手袋に関する。特に、携帯端末等に搭載された静電容量式タッチパネル等を操作可能な手袋に関する。
【背景技術】
【０００２】
この種の手袋ついて、特許文献１には、指先のタッチパネル操作面に所定面積の導電体を具備した静電容量式タッチパネル操作用手袋が開示されている。
特許文献２には、既存の手袋に導電性を付加させるための手袋用導電性装着具が開示されている。
【先行技術文献】
【特許文献】
【０００３】
【特許文献１】特開２００８−８１８９６号公報
【特許文献２】特開２０１１−１９０５６４号公報
【考案の概要】
【考案が解決しようとする課題】
【０００４】
ところで、特許文献１に記載された手袋は、作業機械・航空機・車両等に装備されたタッチパネルを操作するときに使用されるものである。このようなパネルの操作画面は比較的大型なので、操作するときの指の動きも大まかなことが多い。そのためスマートフォン等の小さな画面を細かく操作するのには不向きである。
また、機能性を追求することは必須でも、日常的に使用する場合のファッション性等への配慮はなされていなかった。
【０００５】
その点、特許文献２に記載された装着具を用いれば、手持ちの手袋を利用できるので都合がよい。
しかしながら、使用者の観点でいえば、できれば機能性とファッション性を同時に満たす手袋を１つ購入して済ませたい。また、スマートフォンの普及率が特に若い世代において高いことを考えると、ファッション性は重要であり、しかもできるだけ安価に製造することが望まれる。
【０００６】
上述の課題に鑑み、本考案では、携帯端末等に搭載された静電容量式タッチパネル等を操作可能であり、さらに操作性や使用感を保ちながら、よりファッショナブルに使用できる手袋を提供することを課題とする。
【課題を解決するための手段】
【０００７】
上述の課題を解決するため請求項１に記載の考案は、５指を包被する指部を備えた縫製手袋であって、前記指部のうち、少なくとも親指と人差し指用指部の掌側先端に、導電性糸を含む導電部が設けられた手袋である。
【０００８】
請求項２に記載の考案は、前記指部全ての掌側先端に、導電性糸を含む導電部が設けられた手袋である。
【０００９】
請求項３に記載の考案は、前記導電部は、導電性糸によって掌面の表裏を貫通するように施された刺繍によって形成された手袋である。
【００１０】
請求項４に記載の考案は、前記導電部は、導電性糸による装飾が施された装飾部を縫合又は接着することによって形成された手袋である。
【００１１】
請求項５に記載の考案は、前記導電性糸は、さらに静電防止性を備えた手袋である。
【００１２】
請求項６に記載の考案は、前記導電性糸は、導電性合成繊維からなる手袋である。
【００１３】
請求項７に記載の考案は、前記導電性糸は、検針機に対応している手袋である。
【００１４】
請求項８に記載の考案は、前記導電部が設けられた前記指部の先端には縫目が設けられていない手袋である。
【００１５】
請求項９に記載の考案は、縫目が前記導電部より掌側に設けられている手袋である。
【００１６】
請求項１０に記載の考案は、親指用指部以外の指部の長さが７０ｍｍ以下である手袋である。
【００１７】
請求項１１に記載の考案は、５指を包被する指部を備え、少なくとも掌部と甲部とからなる縫製手袋であって、前記５指のうち、少なくとも親指と人差し指用指部の掌側先端に、静電防止性能を備え、検針機に対応した導電性合成繊維からなる導電性糸によって掌面の表裏を貫通するように刺繍が施された導電部を備え、前記甲部の指先端部を掌側に折り返して折り返し部を形成し、前記折り返し部の側端部と前記甲部の側端部を縫合することによって前記指部が形成され、前記折り返し部の先端部と前記掌部の先端部を縫合した縫目より指先側に前記導電部が位置する手袋である。
【００１８】
請求項１２に記載の考案は、前記導電部の形状は、指先に向かって先細りしている手袋である。
【００１９】
請求項１３に記載の考案は、前記導電部は人差し指に設けられる手袋である。
【００２０】
請求項１４に記載の考案は、前記導電部は親指に設けられる手袋である。
【００２１】
請求項１５に記載の考案は、前記導電部の形状は、指先に向かって拡がっている手袋である。
【００２２】
請求項１６に記載の考案は、前記導電部は親指に設けられる手袋である。
【考案の効果】
【００２３】
本考案の手袋は、少なくとも親指と人差し指用指部の掌側先端に、導電性糸を含む導電部が設けられた、５指を包被する指部を備えた縫製手袋であるので、手袋を着用したまま、携帯端末等に搭載された静電容量式タッチパネル等を操作可能である。
【００２４】
本考案の手袋は、指部全ての掌側先端に、導電性糸を含む導電部が設けられたことにより、人差し指や親指で他の作業をしながら一時的に他の指でタッチパネル等を操作しなければならない場面でも、手袋を着用したまま、携帯端末等に搭載された静電容量式タッチパネル等を操作可能である。
【００２５】
導電部が導電性糸によって掌面の表裏を貫通するように施された刺繍によって形成されたことにより、装飾部を別途製作することとなるので、デザインの幅が広がり、ファッション性の高い手袋を提供することができる。
【００２６】
前記導電部が導電性糸による装飾が施された装飾部を縫合又は接着することによって形成されたことにより、さらにデザインの自由度が向上し、手袋の素材によって直接刺繍を施すことが難しい場合にも対応することができる。
【００２７】
導電性糸が静電防止性を備えたことにより、防寒用手袋としての実用性が向上する。
【００２８】
導電性糸が導電性合成繊維からなることにより、検針機に検知されることがなく、通常の手袋と同様の製造工程で迅速に大量生産が可能である。
【００２９】
導電部が設けられた指部の先端には縫目が設けられていないので、指挿入部の先端が縫い代の縫合部で厚みを増すことがなく、指先の動きを滑らかにタッチパネルに伝達可能である。
【００３０】
縫目が導電部より掌側に設けられているので、指挿入部の先端が縫い代の縫合部で厚みを増すことがなく、指先の動きを滑らかにタッチパネルに伝達可能である。
【００３１】
親指用指部以外の指部の長さが７０ｍｍ以下であるので、特に指先部分が着用者の指にぴったりフィットし、タッチパネルの操作性や着用感が向上する。
【００３２】
導電部の形状は、指先に向かって先細りしているので、指先端部の動きを正確にタッチパネルに伝達可能である。
【００３３】
指先に向かって先細りしている形状の導電部を人差し指に設けることによって、タッチパネルの操作性が特に向上する。
【００３４】
指先に向かって先細りしている形状の導電部を親指に設けることによって、タッチパネルの操作性が特に向上する。
【００３５】
導電部の形状は、指先に向かって拡がっているので、より広い面積を一度に操作でき、指先の動きを確実にタッチパネルに伝達できる。
【００３６】
指先に向かって拡がっている導電部を親指に設けることにより、他の指より大きい親指でタッチパネルを操作する場合の操作性が特に向上する。
【図面の簡単な説明】
【００３７】
【図１】本考案の第１の実施形態の手袋を示す。
【図２】本考案の第２の実施形態の手袋を示す。
【考案を実施するための形態】
【００３８】
＜実施例１＞
図１は、本考案の第１の実施形態の手袋１を示す。図１（ａ）は掌側、図１（ｂ）は甲側から見た図である。
【００３９】
手袋１は縫製手袋であり、少なくとも１枚の生地からなる。本実施形態では、甲部２、掌部３、親指用挿入部４及びマチ５からなる。
【００４０】
手袋１の素材は、柔らかく、手に馴染みやすい素材が好ましい。ウールやコットン等の天然素材、フリース、ナイロン、ポリエステル等の合成繊維、羊皮、山羊皮等の天然皮革、各種人工・合成皮革を用いることができる。
【００４１】
甲部２は手の甲全体を被覆する。小指側においては、小指側の側端部２ｅ全長に渡って掌部３の小指側の側端部３ｅと縫合される。親指側においては、甲部２と掌部３が別部材の場合は、甲部２の親指側の側端部全長に渡って掌部３の親指側の側端部と縫合される。甲部２と掌部３とが一枚で形成される場合は、布地裁断の際に甲部２と掌部３の間に切込みを設け、その切込みを縫合する。
甲部２は、各指の指先端部２ｃにおいて掌部３の各指の指先端部３ｃと縫合される。なお、導電部１０を設ける指先の縫製については後述する。
甲部２は、各指の側端部２ｄおいて各指挿入部のマチ５のマチ側端部５ｄと縫合される。
【００４２】
掌部３は、掌全体を被覆する。小指側においては、小指側の側端部３ｅの全長に渡って甲部２の小指側の側端部２ｅと縫合される。また、各指の指先端部３ｃにおいて甲部２の各指先端部２ｃと縫合される。なお、導電部１０を設ける指先の縫製については後述する。
さらに、掌部３は、各指の側端部３ｄにおいて各指挿入部のマチ５のマチ側端部５ｄと縫合される。
さらに、掌部３には親指用挿入部４を縫合するための開口３ａが設けられる。開口３ａは、略楕円形状であるが、人差し指の付け根に対応する箇所については、甲部２又は掌部３から突出する凸部に対応する凹部が設けられている。
【００４３】
親指用挿入部４は筒状に形成され、開口４ａを掌部３の開口３ａに縫合される。また指先から、親指と人差し指の間の領域にかけて縫合される。人差し指の付け根において、甲部２又は掌部３から突出する凸部と親指用挿入部４から突出する凸部が互いに入れ込んで縫合されることによって、親指を立体的に包被することができ、手袋１は親指を動かしても捩れることがない。
【００４４】
マチ５は、人差し指、中指、薬指の小指側及び中指、薬指、小指の親指側に設けられ、マチ側端部５ｄにおいて甲部２及び掌部３と縫合されることによって、親指以外の各指を立体的に包被することができる。
【００４５】
次に、図１（ａ）を参照して導電部１０を説明する。
【００４６】
導電部１０は、タッチパネルを操作可能な導電性を備える。導電部１０は、少なくとも親指と人差し指用指部の掌側先端に設けられるが、５指全指に設けてもよい。
【００４７】
導電部１０は、導電性糸１１による刺繍によって形成される。この導電性糸１１は導電性ナイロン等の合成繊維からなる。この刺繍は掌部３を貫通して施されることが望ましい。
刺繍によって形成することにより、デザインの制限がなくなるので、購買者への訴求力の高い製品を製作することができる。
【００４８】
導電部１０の形状は、特に人差し指に設ける場合は、指先に向かって尖っていることが好適である。なぜなら、タッチパネルを操作する際、人差し指のみを使って操作する場合は、特に指先端部の動きを正確にタッチパネルに伝達させる必要があるためである。
【００４９】
一方、人差し指と親指の両方を使って操作する場合は、親指が他の指よりも大きいことから、指先に向かって拡がっていることが好適である。そこで、第１の実施形態では、図１（ａ）に記載されているように扇型又はハート型の導電部１０を配置することとした。
【００５０】
また、親指以外の指の導電部１０でも、指先に向かって拡がっている形状とすれば、より広い面積を一度に操作でき、指先の動きを確実にタッチパネルに伝達できるという利点がある。
【００５１】
また、導電部１０は、導電性糸１１による装飾が施された装飾部１２を縫合又は接着することによって形成されてもよい。この場合、装飾部１２を別途製作することとなるので、さらにデザインの自由度が向上する。また、手袋１本体の素材によって直接刺繍を施すことが難しい場合にも対応することができる。
【００５２】
導電性糸１１は、さらに静電防止性を備えている。本考案の手袋１を防寒用手袋に適用する場合、冬季は特に静電気が溜まりやすいが、このように構成することによって、手袋１の指先部分で放電可能となるので都合がよい。
【００５３】
導電性糸１１は、金属を使用していないので、検針機によって針として誤認されることがない。従って、通常の手袋と同様の製造工程で迅速に大量生産が可能である。
【００５４】
次に、図１（ａ）及び図１（ｂ）を参照して、本考案の手袋１の指先の縫製について説明する。
【００５５】
導電部１０が設けられた指挿入部の先端には、縫目が設けられていない。従って、指挿入部の先端が縫い代の縫合部で厚みを増すことがなく、指先の動きを滑らかにタッチパネルに伝達可能である。
【００５６】
導電部１０が設けられた指挿入部の先端の縫製は以下のように行う。
甲部２について、導電部１０を設ける指挿入部を他の指の指挿入部よりも長く形成する。また、掌部３について、導電部１０を設ける指挿入部を他の指の指挿入部よりも短く形成する。この長く形成した甲部２側の部分を掌側に折り返し、この折り返し部２１の側端部２ｄと甲部の側端部３ｄを縫合し、折り返し部２１の指先端部２ｂと掌部の指先端部３ｂを縫合する。そして導電部１０を折り返し部２１の表面に形成する。このように縫製することによって、縫目より指先側に導電部１０が位置することとなる。
【００５７】
本考案の手袋１は、手袋を着用したままでもタッチパネル操作可能であるので、特に指先部分が着用者の指にぴったりフィットしなければならない。したがって、手袋１は同種の一般的な手袋よりも、親指以外の指部の長さを短く形成する。例えば、約７０ｍｍ以下に形成する。
このように形成することによって、着用者が手袋１を着用すると、指挿入部の先端まで指が挿入されることができるので、フィット感が向上し、タッチパネルの操作性がさらに向上する。
【００５８】
＜実施例２＞
図２は、本考案の第２の実施形態の手袋１０１を示す。以下では、図２を参照して、導電部１１０について説明する。
【００５９】
手袋１０１は、親指部の導電部１１０が異なる以外は、第１の実施形態である手袋１と同一なので、導電部１１０以外の説明を省略する。導電部１１０では、導電部１０と同一の形状を逆向きに配置し、指先に向かって拡がっている形状となっている。
【００６０】
この第２の実施形態においては、親指でも指先端部の動きを正確にタッチパネルに伝達可能にするために、親指部の導電部１１０の向きを人差し指と同一にしたものである。
【産業上の利用可能性】
【００６１】
屋外で日常的に使用する手袋として利用される他、屋内では接客用や礼装用手袋、梱包作業や警備、車の運転等などの業務用手袋他、薄手の生地で形成される手袋であれば特に効果的に使用される。
【符号の説明】
【００６２】
１    手袋
２    甲部
３    掌部
４    親指用挿入部
５    マチ
１０  導電部
１１  導電性糸
２１  折り返し部
【図１】
0003176314.tif 000003
【図２】
0003176314.tif 000004